(57)【要約】【課題】家庭用配置医薬について光や圧力センサーを使用した使用状況の把握方法は試みられていたが、医薬の使用を取り止めた時の誤差が入りやすく、正確な情報がつかめない課題があった。また、犬猫用の配置医薬ビジネスは今までになく、愛犬家より診断薬や健康食品を含めた家庭配置が期待されていた。【解決手段】本発明は、ＩＣタグの採用とその破壊の仕組みを取り入れ、無線のインターネットにより普及の図れるビジネスモデルとした。しかも医薬品のみでなく、診断薬或いは栄養機能食品、健康食品などのサプリメントの配置サービスに拡大できるよう無線局によるインターネットを取り入れた。医薬品のみでなく、犬猫の診断薬或いは栄養機能食品、健康食品などのサプリメントの配置サービスに拡大できるビジネスシステムを構築した。【選択図】    図２
2005173902.tif 000002
【特許請求の範囲】
【請求項１】
家庭に必要な物品を契約家庭に配置し、インターネットによって使用状況を把握しながら売り逃しや在庫の発生を少なくする飲食物品の家庭配置ビジネスシステム
【請求項２】
ＩＣタグを付属せしめた配置薬、診断薬、特定保健用食品、栄養機能食品、健康食品より選ばれた飲食物品とそれらの存在を通信できるインタ−ネット機能を有する家庭用物品収納ボックスを利用した飲食物品の家庭配置ビジネスシステム
【請求項３】
家庭用配置薬、診断薬、特定保健用食品、栄養機能食品、健康食品等の存在は、必要の都度、送受信可能な通信システムによって確認できる請求項１及び２の飲食物品の家庭配置ビジネスシステム
【請求項４】
家庭用配置薬、診断薬、特定保健用食品、栄養機能食品、健康食品が動物用であることを特徴とした請求項１，２及び３の飲食物品の家庭配置ビジネスシステム
【請求項５】
動物用の配置薬、診断薬、特定保健用食品、栄養機能食品、健康食品等の補充と料金請求のため契約家庭を訪問する前に、使用したその配置物品を知ることが可能な請求項４の飲食物品の家庭配置ビジネスシステム
【請求項６】
使用した配置物品を知る方法として、家庭用配置物品を収納ボックスから取り出し、動物に飲食させるため箱或いは袋を開封したときに、ＩＣタグが破壊するように封印や開封テープにＩＣタグを取り付けた商品形態を採用した
請求項４の飲食物品の家庭配置ビジネスシステム
【請求項７】
ＩＣタグを漉き込んだ配置物品の袋に所定の動物用の物品を入れ動物配置物品とし、カメラ付の携帯電話機能或いはインターネット機能の携帯電話機能を有する家庭用配置物品収納ボックスに保管しながらその使用状況がインターネットで把握できる方式の請求項４の新規な飲食物品の家庭配置ビジネスシステム
【請求項８】
動物用の飲食物品を飼育業者に販売するに当たり、インターネット機能を有する業者用配置物品収納ボックスを利用した請求項６の飲食物品の家庭配置ビジネスシステム
【発明の詳細な説明】
【技術分野】
【０００１】
本発明は、動物用配置物品に関して、新規な家庭配置ビジネスシステムを提供するものである。すなわち、動物用医薬のみならず、動物用の診断薬、栄養機能食品、健康食品を含む飲食物の家庭配置に関する新規なビジネスシステムに関する。
【背景技術】
【０００２】
常備薬保管装置に、発光部と受光部を有するフォトカプラが設置され、光の透過の有無を検出して、薬の使用を判定する仕組みは知られている（特許文献１）。
また、配置薬箱からの薬の出し入れについて、各種センサー、例えば、光センサー、赤外線センサー、或いは、リミットスイッチ、接点スイッチ等のスイッチを使用する方法も知られている。（特許文献２）
【０００３】
【特許文献１】特開２００１−２６５９３４号公報
【特許文献２】特開平１０−２３４８２５号公報
【発明の開示】
【発明が解決しようとする課題】
【０００４】
従来のシステムでは、服用を決めて一度取り出した後、数分して使用を中止して元に返却しても、使用したとして処理される欠点があった。実際に、動物に投薬しようとしても、取り出して１時間後に餌への混入を取り止めて戻すことがしばしば発生し正確な使用状況の把握が課題となっていた。さらに、発光と受光方式で、薬の使用を把握する場合、誤って薬箱の落下によって、電気系統や発光部と受光部のラインの故障やトラブルが発生し、スイッチが機能しないことが起っていた。
さらに、医薬だけでなく、病気にならないように、健康維持のための健康食品や栄養機能食品などについての家庭配置に関して、これまで家庭配置のシステム化が困難であり、愛犬猫家の要望が満たされていなかった。また、犬猫が元気がないときに、診断薬が手元にあれば、いちいち獣医医院まで行かなくても、その原因が分かり対応し易すいことから、診断薬の家庭配置の要望があった。
【課題を解決するための手段】
【０００５】
本発明では、これらの問題を解決する手段として、配置物品の一つ一つの存在を通信によって遠隔地から検出して、光センサーやスイッチではなく、その存在の有無を配置物品そのもので把握するシステムを開発した。新規なシステムに使用する手段としては、個々の配置物品の入った袋、或いは箱に、その物品の名前、識別番号、効能、使用方法等の情報を書き込み、さらに通信によりその情報を発信できるアンテナ内臓のＩＣチップを使用する。アンテナはチップ上に金属で書き込んだものとして、外付けアンテナは、使用しない。ＩＣチップは、物品の袋や箱の紙に粘着テープで貼り付けたり、ラベルと共に箱の封印に利用する他、前もって紙に漉き込んであるもので物品袋を作って使用する。そして、これらを収納する物品収納箱に、携帯電話の一部の機能を設置することにより配置物品の使用の有無を、遠隔地より確認できるシステムにより上記の課題を解決した。
【発明の効果】
【０００６】
本発明の効果として以下のことが実現できた。
【０００７】
動物用医薬品、動物診断薬、栄養機能食品、健康食品などの配置物品の利用度が、販売元としてインターネットにより把握できる。
【０００８】
医薬、診断薬、栄養機能食品、健康食品などが、物品収納箱のそれぞれの位置にあっても、また、返却時に別の所にまぎれ込んでも重なっても、ＩＣタグにより受発信が実行され、その存在が確認できる。開封時にＩＣタグが破壊されるように取り付けておけば一度開封されれば、確実に使用したと判断される。
【０００９】
各家庭における動物の飲食情報が、正確に集積されることから、病弱な動物の体調を改善するため、或いは平素の健康管理のために、飼い主が犬猫に飲食させる家庭配置の飲食物品のデータ管理が可能となる。
【００１０】
定期訪問する際に、その直前のデータから持参する配置物品の必要量や送付する物品内容を決定することができる。このことは売り逃し低減の効果につながる効果が大きい。
【００１１】
新商品が開発された時に、「０００９」のデータをもとに、試用モニターとしてふさわしい家庭を容易に選択できる効果がある。
【００１２】
また、「０００９」のデータにより利用度の少ない物品、例えば関節が悪くないと判れば関節強化の動物用栄養機能食品の一部は配置薬から外したり配置数を少なくする処置が取れる。
これにより不良在庫を減少できる。
【００１３】
家庭における在庫管理が行き届くことにより、常時動物用診断薬、医薬、栄養機能食品、健康食品などが取り揃えられ、家庭で診断からある程度の処置ができる効果は大きい。
【００１４】
動物の飼育業者や愛犬家の仲間の代表に、診断薬や認可された医薬のキーステーションとしての活動を委託し、緊急時の需要や欠品に対応してもらうビジネスシステムにも取り組むこともできる。
【発明を実施するための最良の形態】
【００１５】
発明を実施するための最良の形態を図を用いて説明する。図１は、色々の形態の家庭用配置物品の模式図である。ａは箱型の医薬品の箱である。１が封印ラベルに内臓したＩＣチップである。大量に製造する時には箱の紙にすき込んで作ることもできる。ｂは栄養機能食品の入ったプラスチックのビンである。この場合、商品ラベルの裏部に入れるかビンを包んでいるプラスチック製の袋の開封リボンのところに１として設置する。ｃは、袋に入れた健康食品である。外の包装用の袋にＩＣタグが取り付けてあり、その包装フィルムをあけると、ＩＣタグが除去される仕組みとした。
図１の場合、箱を開けると封印ラベルは引きちぎられ、ＩＣタグは破壊するか除去され当該の物品から外れる。その結果、ＩＣタグとの収納ボックスの受発信装置との通信が不能になり在庫物品から外れ、使用したことが実証される。
【００１６】
図２aは、家庭用配置物品の収納ボックス２の模式図である。内部にＩＣタグ１のついた医薬品３の存在を模式的に示した。図２aは、蓋を開けた状態で、蓋の裏の４に携帯電話型の受発信機器を備えている。この４の受発信機器が、住宅地の市民アクセス網との間で無線通信によりＩＣタグよりの情報を発信する。図２bは引き出しタイプの収納ボックスである。
【００１７】
図３は、住宅地アクセス網の模式図である。各家庭５は、無線網を通して親局６の無線装置との通信ができ、インターネットを通じて販売企業８との情報連絡が可能となっている。販売企業は、ネット回線につないだコンピューターのインターネットにより無線装置６を経て、図３の顧客５−Ａの配置物品の収納ボックスの受発信機につなぎ、在庫情報の発信を求める。発信機能を有する４は、ボックス内の収納物品のＩＣタグ１との通信により１から在庫物品情報が４に届き、それが無線基地を経て、インターネットにより販売企業に届く。これは定期的にタイマーにより自動的に接続し、在庫状態は販売企業側でプリントアウトされる仕組みとすることも可能である。ここで言う定期的とは、毎日でも、一週間に１回でも、毎月月末でもよい。また、飲食の傾向を把握するためもっと頻度を上げて把握してもよい。本発明で言う必要の都度とは、訪問前に飲食した物品を前もって知ることが必要になったときのことである。
各家庭の物品収納ボックス２の電源は、携帯電話の方式で、入力１００ＶのＡＣアダプターにより家庭コンセントより取り、出力５．９Ｖ６００ｍＡで、受発信機４に入力して使用する。
【実施例１】
【００１８】
以下に実施例を示して説明するが、この実施例に限定するものではない。
人間の家庭配置薬を置いているお得意さんの中で、犬を飼育している図３の家庭５−Ａに小動物用の医薬、診断薬、栄養機能食品、健康食品などの配置薬を置いてもらうことを契約した。図２の配置物品収納ボックスに、犬用のノミ・ダニ退治薬、犬用の胃腸薬、関節機能改善の栄養機能食品、総合ビタミンの健康食品などを置いた。いずれも図１のように、ＩＣダクの付いた箱や袋に入った商品である。
配置物品の中で、犬の腹の具合が悪そうで元気がないので、商品名はら薬Ａと総合ビタミン剤クラビタンを与えた翌日、定時の物品確認情報をインターネットを通して発信した。
契約している家庭の地域の無線装置を通して、図３の家庭５−B受発信機に親局より物品確認情報が届く。受発信機４が受信し、収納ボックス内の配置物品の残存状況１１を発信する。それをインターネットを通して家庭における物品存在情報１２として、はら薬Ａとクラビタンが配置物品としてなくなっていることが判る。
この動物用飲食物品の配置システムにより使用状況が把握でき、毎日入手する情報をもとに、その家庭のニーズに対応でき、売り逃しや欠品防止に役立てることが可能になった。
【産業上の利用可能性】
【００１９】
従来、人間の配置薬の場合、訪問して配置薬ボックスを開いて見て初めてその使用状況を知る方式であったが、前もって使用状況が判った上で訪問できることは動物用の医薬、診断薬、健康食品などの飲食物品を販売するメーカーと販売企業にとって非常に能率の上がることになり配置薬や配置健康食品産業として利用の可能性は高い。
【図面の簡単な説明】
【００２０】
【図１】ＩＣタグを付属させた色々の配置物品の形状を示す模式図。ａは、箱に入ったはら薬。ｂは、ビン入りの栄養機能食品。
【図２】家庭に置く受発信機の付いた配置物品の収納ボックス。ａは、ＩＣタグの付いた色々の形状の配置物品の上蓋収納ボックス。ｂは、ＩＣタグの付いた色々の形状の配置物品の引き出し収納ボックス。
【図３】飲食物品の家庭配置ビジネスシステムを示す模式図であり、インターネットを通して飲食した家庭配置物品が、無線通信を経て、販売企業が把握できるシステム。
【符号の説明】
【００２１】
１  ＩＣタグ
２  家庭の配置物品の収納ボックス
３  ＩＣタグの付いた配置物品
４  家庭の配置物品の収納ボックスに設置した受発信機
５  家庭の配置物品の収納ボックスを保有している家
６  住宅地にある無線装置の親局
７  インターネット
８  販売企業
９  物品確認指示情報
１０  親局を経由しての物品確認情報
１１  家庭における物品残存情報
１２  家庭における物品存在情報
【図１】
2005173902.tif 000003
【図２】
2005173902.tif 000004
【図３】
2005173902.tif 000005